(57)【要約】【課題】無線通信の待機時には電源供給を遮断して消費電力を低減し、無線通信の使用時にはすぐに復帰して使用を開始することが可能な無線通信装置を提供すること。【解決手段】無線通信装置は、第１無線チャンネルを使用して無線通信を行う第１無線通信手段と、第２無線チャンネルを使用して無線通信を行う第２無線通信手段と、省電力モードへの移行に伴って、第１無線通信手段への電源供給を遮断する電源制御手段とを備える。第２無線通信手段は、省電力モードへの移行に伴って、他の装置との間で同期をとるための疑似同期信号を送信する。【選択図】図８
2011055105.tif 000002
【特許請求の範囲】
【請求項１】
電力消費の多い第１の動作モードと電力消費の少ない第２の動作モードとを備えた無線通信装置であって、
所定の周波数帯域内に複数設けられた第１無線チャンネルの１つを使用し、その使用する第１無線チャンネルを所定周期で切り替える第１無線通信方式によって他の装置と無線通信を行う第１無線通信手段と、
前記第１無線通信手段により用いられる前記所定の周波数帯域内に設けられた前記第１無線チャンネルよりも帯域幅の広い第２無線チャンネルを継続して使用する第２無線通信方式によって無線通信を行う第２無線通信手段と、
前記第１の動作モード時、前記他の装置との間で同期をとるための通常同期信号を、前記第１無線通信手段によって送信する通常同期手段と、
前記第１の動作モードから前記第２の動作モードへの移行時、前記第１無線通信手段への電源供給を遮断する電源制御手段と、
前記第２の動作モード時、前記他の装置との間で同期をとるための疑似同期信号を、前記第２無線通信手段によって送信する疑似同期手段と、
を備えることを特徴とする無線通信装置。
【請求項２】
前記他の装置に前記第２の動作モードへの移行を通知する通知手段を備え、
前記電源制御手段は、前記通知手段による通知が行われた場合に、前記第１無線通信手段への電源供給を遮断する
ことを特徴とする請求項１に記載の無線通信装置。
【請求項３】
前記第１無線通信手段により用いられる前記所定の周波数帯域内に複数設けられた第３無線チャンネルの１つを使用し、その使用する第３無線チャンネルを所定周期で切り替える第３無線通信方式によって無線通信を行う第３無線通信手段と、
前記第２の動作モード時、前記第２の動作モードからの復帰コマンドを、前記第３無線通信手段によって前記他の装置から受信することが可能な復帰コマンド受信手段と、
を備えることを特徴とする請求項１または２に記載の無線通信装置。
【請求項４】
前記通常同期手段は、前記第１の動作モードから前記第２の動作モードへの移行時、前記第１無線通信手段による前記通常同期信号の送信を停止し、
前記疑似同期手段は、前記第１の動作モードから前記第２の動作モードへの移行時、前記通常同期手段によって行われる前記第１無線通信手段による前記通常同期信号の送信が停止されると、前記第１無線通信手段によって行われる前記第１無線通信方式による無線通信で使用される前記第１無線チャンネルの情報を取得し、該情報に基づいて、前記第２無線通信手段による前記疑似同期信号の送信を開始する
ことを特徴とする請求項１乃至３のいずれかに記載の無線通信装置。
【請求項５】
前記電源制御手段は、前記第２の動作モードから前記第１の動作モードへの復帰時、前記第１無線通信手段への電源供給を開始し、
前記疑似同期手段は、前記第２の動作モードから前記第１の動作モードへの復帰時、前記電源制御手段によって前記第１無線通信手段への電源供給が開始され、前記通常同期手段によって行われる前記第１無線通信手段による前記通常同期信号の送信が可能になると、前記第２無線通信手段による前記疑似同期信号の送信を停止し、
前記通常同期手段は、前記第２の動作モードから前記第１の動作モードへの復帰時、前記疑似同期手段によって行われる前記第２無線通信手段による前記疑似同期信号の送信が停止されると、前記第１無線通信手段による前記通常同期信号の送信を開始する
ことを特徴とする請求項１乃至４のいずれかに記載の無線通信装置。
【発明の詳細な説明】
【技術分野】
【０００１】
本発明は、無線通信装置に関する。
【背景技術】
【０００２】
従来、複数の無線通信機能を備えた無線通信装置がある。また、近年、省エネルギー化が進んでおり、無線通信装置においても消費電力の低減が求められている。
【０００３】
下記の特許文献１には、無線ＬＡＮ（Wireless Local Area Network、以下、ＷＬＡＮと表記する。）機能と、Bluetooth（登録商標）機能と、を備えた無線ＩＰ電話機が記載されている。
【先行技術文献】
【特許文献】
【０００４】
【特許文献１】特開２００６−１０８８６２号公報
【０００５】
特許文献１では、無線ＩＰ電話機がＷＬＡＮ及びBluetoothの両方を利用できる場合、より消費電力の少ないBluetoothを選択して無線通信を行うことが開示されている。これにより、無線ＩＰ電話機の消費電力を抑えることができる。
【発明の概要】
【発明が解決しようとする課題】
【０００６】
例えば、ＷＬＡＮ機能とデジタルコードレス電話（Digital Cordless telephone、以下、ＤＣＬと表記する。）機能とを搭載する無線通信装置では、ＷＬＡＮ機能は常時オンで接続したままにする一方、消費電力を低減するため、ＤＣＬ機能は通話時以外、電源供給を遮断してオフにしたい場合がある。しかしながら、ＤＣＬでは、親機から定期的に送信されるビーコン信号によって、親機と子機とが同期をとっている。そのため、ＤＣＬ機能への電源供給を遮断し、ビーコン信号の送信を止めてしまうと、再度ＤＣＬを使用したい場合にすぐに使用することができないという課題があった。
【０００７】
このような消費電力の低減と迅速な復帰との両立という課題については、上記の特許文献１では触れられていない。
【０００８】
本発明は上記の課題に鑑み提案されたものである。本発明は、無線通信の待機時には電源供給を遮断して消費電力を低減し、無線通信の使用時にはすぐに復帰して使用を開始することが可能な無線通信装置を提供することを目的とする。
【課題を解決するための手段】
【０００９】
本発明の請求項１に係る無線通信装置は、電力消費の多い第１の動作モードと電力消費の少ない第２の動作モードとを備えた無線通信装置であって、所定の周波数帯域内に複数設けられた第１無線チャンネルの１つを使用し、その使用する第１無線チャンネルを所定周期で切り替える第１無線通信方式によって他の装置と無線通信を行う第１無線通信手段と、前記第１無線通信手段により用いられる前記所定の周波数帯域内に設けられた前記第１無線チャンネルよりも帯域幅の広い第２無線チャンネルを継続して使用する第２無線通信方式によって無線通信を行う第２無線通信手段と、前記第１の動作モード時、前記他の装置との間で同期をとるための通常同期信号を、前記第１無線通信手段によって送信する通常同期手段と、前記第１の動作モードから前記第２の動作モードへの移行時、前記第１無線通信手段への電源供給を遮断する電源制御手段と、前記第２の動作モード時、前記他の装置との間で同期をとるための疑似同期信号を、前記第２無線通信手段によって送信する疑似同期手段と、を備えることを特徴とする。
【００１０】
本発明の請求項２に係る無線通信装置は、請求項１の無線通信装置において、前記他の装置に前記第２の動作モードへの移行を通知する通知手段を備え、前記電源制御手段は、前記通知手段による通知が行われた場合に、前記第１無線通信手段への電源供給を遮断することを特徴とする。
【００１１】
本発明の請求項３に係る無線通信装置は、請求項１または２の無線通信装置において、前記第１無線通信手段により用いられる前記所定の周波数帯域内に複数設けられた第３無線チャンネルの１つを使用し、その使用する第３無線チャンネルを所定周期で切り替える第３無線通信方式によって無線通信を行う第３無線通信手段と、前記第２の動作モード時、前記第２の動作モードからの復帰コマンドを、前記第３無線通信手段によって前記他の装置から受信することが可能な復帰コマンド受信手段と、を備えることを特徴とする。
【００１２】
本発明の請求項４に係る無線通信装置は、請求項１乃至３のいずれかの無線通信装置において、前記通常同期手段は、前記第１の動作モードから前記第２の動作モードへの移行時、前記第１無線通信手段による前記通常同期信号の送信を停止し、前記疑似同期手段は、前記第１の動作モードから前記第２の動作モードへの移行時、前記通常同期手段によって行われる前記第１無線通信手段による前記通常同期信号の送信が停止されると、前記第１無線通信手段によって行われる前記第１無線通信方式による無線通信で使用される前記第１無線チャンネルの情報を取得し、該情報に基づいて、前記第２無線通信手段による前記疑似同期信号の送信を開始することを特徴とする。
【００１３】
本発明の請求項５に係る無線通信装置は、請求項１乃至４のいずれかの無線通信装置において、前記電源制御手段は、前記第２の動作モードから前記第１の動作モードへの復帰時、前記第１無線通信手段への電源供給を開始し、前記疑似同期手段は、前記第２の動作モードから前記第１の動作モードへの復帰時、前記電源制御手段によって前記第１無線通信手段への電源供給が開始され、前記通常同期手段によって行われる前記第１無線通信手段による前記通常同期信号の送信が可能になると、前記第２無線通信手段による前記疑似同期信号の送信を停止し、前記通常同期手段は、前記第２の動作モードから前記第１の動作モードへの復帰時、前記疑似同期手段によって行われる前記第２無線通信手段による前記疑似同期信号の送信が停止されると、前記第１無線通信手段による前記通常同期信号の送信を開始することを特徴とする。
【発明の効果】
【００１４】
本発明の請求項１に係る無線通信装置によれば、疑似同期手段が第２無線通信手段によって送信する疑似同期信号によって同期をとることができる。したがって、第１無線通信手段への電源供給を遮断して消費電力の低減を図ることができるとともに、他の装置との間で無線通信を開始する場合はすぐに使用することができる。
【００１５】
本発明の請求項２に係る無線通信装置によれば、第２の動作モードへの移行を他の装置に通知した後で、第１無線通信手段への電源供給を遮断することができる。
【００１６】
本発明の請求項３に係る無線通信装置によれば、第２の動作モードへの移行後も、他の装置側における無線通信の開始要求を、第３無線通信手段によって受け付けることができる。
【００１７】
本発明の請求項４、５に係る無線通信装置によれば、通常同期信号と疑似同期信号との切り替えを円滑に行うことができる。
【００１８】
本発明に係る無線通信装置によれば、無線通信の待機時には電源供給を遮断して消費電力を低減し、無線通信の使用時にはすぐに復帰して使用を開始することができる。
【図面の簡単な説明】
【００１９】
【図１】無線通信装置の構成を示すブロック図である。
【図２】親機の本体制御部のＣＰＵが実行する処理のフローチャートである。
【図３】動作設定テーブルの一例を示す図である。
【図４】親機のＤＣＬ通信制御回路が、電源供給された際に実行する処理のフローチャートである。
【図５】子機のＤＣＬ通信制御回路が実行する処理のフローチャートである。
【図６】親機のＷＬＡＮ通信制御回路が実行する処理のフローチャートである。
【図７】親機のＢＴ通信制御回路が実行する処理のフローチャートである。
【図８】親機と子機との間でビーコン信号、疑似ビーコン信号が送受信される様子について、一例を示すタイミングチャートである。
【発明を実施するための形態】
【００２０】
図面を参照して実施例を説明する。
図１は、本実施例の無線通信装置の構成を示すブロック図である。親機１０の本体制御部１１は、ＣＰＵ１３、ＲＯＭ１５、ＲＡＭ１７、ＥＥＰＲＯＭ１９を備える。ＣＰＵ１３は、ＲＯＭ１５に記憶されるプログラム、ＲＡＭ１７、ＥＥＰＲＯＭ１９に記憶される各種データに従って、様々な処理を実行する。ＲＯＭ１５は、主として、親機１０を制御するためのプログラムを記憶する。ＲＡＭ１７は、主として、プログラムに従って処理が実行される過程で生成される各種データを記憶する。ＥＥＰＲＯＭ１９は、主として、プログラムに従って参照される各種データを記憶する。
【００２１】
親機１０は、ユーザインターフェイスとして、ＬＣＤ２１、操作キー２３を備える。また、印刷部２５、スキャン部２７、ＦＡＸ部２９の各部によって、プリンタ機能、スキャナ機能、ＦＡＸ機能が実現される。
【００２２】
ＤＣＬ通信制御回路３１は、子機５０のＤＣＬ通信制御回路５１との間で、ＤＣＬ通信を行う。ここで、ＤＣＬでは、２．４ＧＨｚ帯の周波数帯域が８９のチャンネル（以下、ＤＣＬチャンネルと表記する。）に分けられている。各ＤＣＬチャンネルの帯域幅は約１ＭＨｚである。ＤＣＬは、ホッピング周期と呼ばれる所定の周期（例えば、１０ｍｓ）毎に、８９あるＤＣＬチャンネルのうち予め選択された例えば４５のＤＣＬチャンネルの間で、使用するＤＣＬチャンネルを変更（ホッピング）する周波数ホッピング方式により、無線通信を行う。また、ＤＣＬ通信制御回路３１は、所定の周期（例えば、１０ｍｓ）毎にビーコン信号を送信する。子機５０のＤＣＬ通信制御回路５１がそのビーコン信号を受信することで、親機１０と子機５０とが同期をとる。
【００２３】
ＷＬＡＮ通信制御回路３３は、アクセスポイント（Access Point、以下、ＡＰと表記する。）６０との間で、ＩＥＥＥ８０２．１１規格に基づくＷＬＡＮ通信を行う。ここで、ＷＬＡＮでは、２．４ＧＨｚ帯の周波数帯域が１４のチャンネル（以下、ＷＬＡＮチャンネルと表記する。）に分けられている。各ＷＬＡＮチャンネルの帯域幅は２２ＭＨｚであり、異なるＷＬＡＮチャンネル間で周波数帯域の重複がある。ＷＬＡＮは、１４のＷＬＡＮチャンネルのうち１つのＷＬＡＮチャンネルを継続して使用しながら、その１つのＷＬＡＮチャンネルに対して送信データを直接スペクトラム拡散する直接拡散方式により、無線通信を行う。また、ＡＰ６０はＬＡＮ１００と接続されており、親機１０はＬＡＮ１００に接続される他の機器とＡＰ６０を介して接続される。
【００２４】
ＢＴ通信制御回路３５は、Bluetooth対応の機器（例えば、ＰＣ７０）との間で、Bluetooth規格に基づく無線通信を行う。ここで、Bluetoothでは、２．４ＧＨｚ帯の周波数帯域が、帯域幅１ＭＨｚの７９のチャンネル（以下、ＢＴチャンネルと表記する。）に分けられている。Bluetoothは、７９のＢＴチャンネルを使用して、ＤＣＬと同様に周波数ホッピング方式により無線通信を行う。
【００２５】
音声処理ＬＳＩ４３は、送受話器４１、ＮＣＵ（Network Control Unit、以下、ＮＣＵと表記する。）４５のアナログ音声信号とＤＣＬ通信制御回路３１のデジタル信号とを相互に変換する。また、ＮＣＵ４５は、電話回線網２００と接続されており、電話回線網２００へのダイヤル信号の送出、電話回線網２００からの呼出信号の応答などを行う。
【００２６】
上記のように構成された無線通信装置において、親機１０は、通常モードと省電力モードとを備える。親機１０は、省電力モードではＤＣＬ通信制御回路３１への電源供給を遮断して消費電力を低減するとともに、ＤＣＬ通信制御回路３１が子機５０のＤＣＬ通信制御回路５１とＤＣＬ通信を行う場合はすぐに通常モードに復帰してＤＣＬ通信が可能になる。以下、図２乃至図８を参照して、親機１０、子機５０において実行される処理を説明する。
【００２７】
図２は、親機１０の本体制御部１１が備えるＣＰＵ１３が実行する処理のフローチャートである。Ｓ１０１において、ＣＰＵ１３は、省電力モードへの移行要求があるか否かを判断する。ここで、省電力モードへの移行要求としては、例えば、操作キー２３からのユーザによる要求、一定時間無操作状態が続いたことに応じたタイマーによる要求、などがある。
【００２８】
省電力モードへの移行要求がある場合（Ｓ１０１：ＹＥＳ）、ＣＰＵ１３は、Ｓ１０３において、ＤＣＬ通信制御回路３１、ＷＬＡＮ通信制御回路３３、ＢＴ通信制御回路３５を始め、各部に省電力モード移行信号を送信する。ここで、親機１０のＥＥＰＲＯＭ１９には、図３に例示されるような動作設定テーブルが記憶されている。図３に示されるように、動作設定テーブルには、省電力モードの場合、省電力復帰モードにより省電力モードから復帰して通常モードになる場合、のそれぞれについて、親機１０のＤＣＬ通信制御回路３１、子機５０のＤＣＬ通信制御回路５１、親機１０のＷＬＡＮ通信制御回路３３、親機１０のＢＴ通信制御回路３５、の各部の動作が設定されている。ＣＰＵ１３は、省電力モード移行信号によって、動作設定テーブルに基づいて動作するよう各部に指示する。そして、ＣＰＵ１３は、Ｓ１０４において、子機５０への省電力モード移行通知の完了を、ＤＣＬ通信制御回路３１から通知されると（Ｓ１０４：ＹＥＳ）、Ｓ１０５において、ＤＣＬ通信制御回路３１への電源供給を遮断してＤＣＬ通信制御回路３１をオフにし、Ｓ１０７に進む。なお、ＣＰＵ１３は、Ｓ１０４において、子機５０への省電力モード移行通知の完了を、ＤＣＬ通信制御回路３１から通知されていない場合（Ｓ１０４：ＮＯ）、通知されるまで待機する。
【００２９】
一方、省電力モードへの移行要求がない場合（Ｓ１０１：ＮＯ）、ＣＰＵ１３は、Ｓ１０３〜Ｓ１０５をスキップして、Ｓ１０７に進む。
【００３０】
Ｓ１０７において、ＣＰＵ１３は、省電力モードからの復帰要求があるか否かを判断する。ここで、省電力モードからの復帰要求としては、例えば、電話回線網２００からの着信や親機１０または子機５０からの発呼に応じたＤＣＬ通信による通話開始要求がある。
【００３１】
省電力モードからの復帰要求がある場合（Ｓ１０７：ＹＥＳ）、ＣＰＵ１３は、Ｓ１０９において、ＤＣＬ通信制御回路３１への電源供給を開始してＤＣＬ通信制御回路３１をオンにする。そして、ＣＰＵ１３は、Ｓ１１１において、ＤＣＬ通信制御回路３１、ＷＬＡＮ通信制御回路３３、ＢＴ通信制御回路３５を始め、各部に省電力モード復帰信号を送信する。これにより、動作設定テーブル（図３参照）に基づいて、省電力復帰モードにより省電力モードから復帰して通常モードになる場合の動作が行われる。
【００３２】
一方、省電力モードからの復帰要求がない場合（Ｓ１０７：ＮＯ）、ＣＰＵ１３は、Ｓ１０９、Ｓ１１１をスキップする。なお、ＣＰＵ１３は、図２の処理を常時実行することにより、省電力モードへの移行要求及び省電力モードからの復帰要求の有無を常に監視する。
【００３３】
図４は、親機１０のＤＣＬ通信制御回路３１が、電源供給された際に実行する処理のフローチャートである。Ｓ２０１において、ＤＣＬ通信制御回路３１は、ＣＰＵ１３から省電力モード復帰信号を受信したか否かを判断する。省電力モード復帰信号を受信した場合（Ｓ２０１：ＹＥＳ）、ＤＣＬ通信制御回路３１は、Ｓ２０３において、ＣＰＵ１３の指示に従って省電力復帰モードに移行し、Ｓ２０５において、動作設定テーブル（図３参照）に基づいて省電力復帰モードの既定動作を実行する。具体的には、親機１０のＤＣＬ通信制御回路３１は、後述するＷＬＡＮ通信制御回路３３による疑似ビーコン信号の送信が停止されると、所定タイミングでビーコン信号を送信する。ここで、疑似ビーコン信号からビーコン信号への移行タイミングは、Ｓ１０９における、ＤＣＬ通信制御回路３１の復帰後であるため、省電力モードからの復帰要求から多少遅れてビーコン信号が送信される。そのため、省電力モードからの復帰要求があっても、ＤＣＬ通信制御回路３１によるビーコン信号の送信が可能になるまでは疑似ビーコン信号で同期をとり、ＤＣＬ通信制御回路３１によるビーコン信号の送信が可能になると、ビーコン信号への切り替えが円滑に行われる。
【００３４】
Ｓ２０７において、ＤＣＬ通信制御回路３１は、子機５０とのリンクが確立したか否か、すなわち、子機５０のＤＣＬ通信制御回路５１との間でＤＣＬ通信を行うことが可能な状態になったか否かを判断する。子機５０とのリンクが確立していない場合（Ｓ２０７：ＮＯ）、ＤＣＬ通信制御回路３１は、Ｓ２０７に戻る。すなわち、ＤＣＬ通信制御回路３１は、子機５０とのリンクが確立するまでＳ２０７で待機する。
【００３５】
子機５０とのリンクが確立した場合（Ｓ２０７：ＹＥＳ）、ＤＣＬ通信制御回路３１は、Ｓ２０９において、本体制御部１１のＣＰＵ１３に子機５０とのリンクが確立したことを通知して通常モードに移行し、Ｓ２１１に進む。
【００３６】
一方、Ｓ２０１において、省電力モード復帰信号を受信していない場合（Ｓ２０１：ＮＯ）、省電力モードからの復帰による電源供給ではないため、ＤＣＬ通信制御回路３１は、Ｓ２０３〜Ｓ２０９をスキップして、Ｓ２１１に進む。
【００３７】
Ｓ２１１において、ＤＣＬ通信制御回路３１は、ＣＰＵ１３から省電力モード移行信号を受信したか否かを判断する。省電力モード移行信号を受信していない場合（Ｓ２１１：ＮＯ）、ＤＣＬ通信制御回路３１は、Ｓ２１３において、一般的な電話の処理へ移る。ＤＣＬ通信制御回路３１は、一般的な電話の処理を起動するとＳ２１１に戻り、再び、省電力モード移行信号を受信したか否かを判断する。このように、ＤＣＬ通信制御回路３１は、省電力モード移行信号の受信の有無を確認しながら、一般的な電話の処理を行う。また、一般的な電話の処理では、ＤＣＬ通信制御回路３１は、電話回線網２００からの着信や親機１０または子機５０からの発呼等に応じた処理を行う他、子機５０と同期をとるためビーコン信号の送信を継続する。
【００３８】
省電力モード移行信号を受信した場合（Ｓ２１１：ＹＥＳ）、ＤＣＬ通信制御回路３１は、Ｓ２１５において、次に送信するビーコン信号に省電力モードへ移行する情報を乗せることで、子機５０に省電力モードへの移行を通知する。これにより、子機５０のＤＣＬ通信制御回路５１においても、動作設定テーブル（図３参照）に基づいた動作が行われる。Ｓ２１７において、ＤＣＬ通信制御回路３１は、本体制御部１１のＣＰＵ１３に、子機５０への省電力モード移行通知が完了したことを通知する。既に説明したように、ＣＰＵ１３は、子機５０への省電力モード移行通知の完了を、ＤＣＬ通信制御回路３１から通知されると（図２、Ｓ１０４：ＹＥＳ）、ＤＣＬ通信制御回路３１への電源供給を遮断する（図２、Ｓ１０５）。そのため、親機１０のＤＣＬ通信制御回路３１は、Ｓ２１７を経て省電力モードに移行するとオフする（図３参照）。
【００３９】
図５は、子機５０のＤＣＬ通信制御回路５１が実行する処理のフローチャートである。Ｓ３０１において、ＤＣＬ通信制御回路５１は、親機１０のＤＣＬ通信制御回路３１から省電力モードへの移行通知があるか否かを判断する。省電力モードへの移行通知がある場合（Ｓ３０１：ＹＥＳ）、ＤＣＬ通信制御回路５１は、Ｓ３０３において、省電力モードに移行し、動作設定テーブル（図３参照）に基づいた動作を実行する。具体的には、子機５０のＤＣＬ通信制御回路５１は、所定タイミングで疑似ビーコン信号を受信するよう動作する。
【００４０】
Ｓ３０５において、ＤＣＬ通信制御回路５１は、子機５０側において親機１０のＤＣＬ通信制御回路３１とのＤＣＬ通信による通話開始要求があるか否かを判断する。子機５０側において通話開始要求がない場合（Ｓ３０５：ＮＯ）、ＤＣＬ通信制御回路５１は、Ｓ３０７において、親機１０側において省電力モードからの復帰があるか否かを判断する。ＤＣＬ通信制御回路５１は、例えば、所定タイミングで受信される疑似ビーコン信号が停止された場合に、親機１０側において省電力モードからの復帰があると判断する。
【００４１】
親機１０側において省電力モードからの復帰がない場合（Ｓ３０７：ＮＯ）、ＤＣＬ通信制御回路５１は、Ｓ３０３に戻る。このように、ＤＣＬ通信制御回路５１は、Ｓ３０３〜Ｓ３０７の間で、子機５０側における通話開始要求及び親機１０側における省電力モードからの復帰、それぞれの有無を確認しながら、疑似ビーコン信号の受信を行う。
【００４２】
子機５０側において通話開始要求がある場合（Ｓ３０５：ＹＥＳ）、ＤＣＬ通信制御回路５１は、Ｓ３０９において、親機１０に対して省電力モードから復帰するよう復帰コマンドを送信し、Ｓ３１１に進む。また、親機１０側において省電力モードからの復帰がある場合（Ｓ３０７：ＹＥＳ）、ＤＣＬ通信制御回路５１は、Ｓ３１１に進む。
【００４３】
Ｓ３１１において、ＤＣＬ通信制御回路５１は、動作設定テーブル（図３参照）に基づいて通常モードに移行する。したがって、子機５０のＤＣＬ通信制御回路５１は、所定タイミングでビーコン信号を受信するよう動作する。そして、ＤＣＬ通信制御回路５１は、Ｓ３１３に進む。
【００４４】
一方、Ｓ３０１において、省電力モードへの移行通知がない場合（Ｓ３０１：ＮＯ）、ＤＣＬ通信制御回路５１は、Ｓ３０３〜Ｓ３１１をスキップして、Ｓ３１３に進む。
【００４５】
Ｓ３１３において、ＤＣＬ通信制御回路５１は、一般的な電話の処理へ移る。ＤＣＬ通信制御回路５１は、一般的な電話の処理を起動するとＳ３０１に戻り、再び、省電力モードへの移行通知があるか否かを判断する。このように、ＤＣＬ通信制御回路５１は、省電力モードへの移行通知の有無を確認しながら、一般的な電話の処理を行う。また、一般的な電話の処理では、ＤＣＬ通信制御回路５１は、子機５０からの発呼等に応じた処理を行う他、親機１０と同期をとるためビーコン信号の受信を継続する。そして、ＤＣＬ通信制御回路５１は、省電力モードへの移行通知があると受信対象をビーコン信号から疑似ビーコン信号へ切り替え、子機５０側における通話開始要求または親機１０側における省電力モードからの復帰のいずれかがあると受信対象を疑似ビーコン信号からビーコン信号へ戻す。
【００４６】
図６は、親機１０のＷＬＡＮ通信制御回路３３が実行する処理のフローチャートである。Ｓ４０１において、ＷＬＡＮ通信制御回路３３は、ＣＰＵ１３から省電力モード移行信号を受信したか否かを判断する。省電力モード移行信号を受信した場合（Ｓ４０１：ＹＥＳ）、ＷＬＡＮ通信制御回路３３は、Ｓ４０３において、ＣＰＵ１３の指示に従って省電力モードに移行し、動作設定テーブル（図３参照）に基づいた動作を実行する。具体的には、ＷＬＡＮ通信制御回路３３は、ＤＣＬ通信制御回路３１によるビーコン信号の送信が停止されると、ＤＣＬ通信制御回路３１によって行われる周波数ホッピング方式によるＤＣＬ通信で使用されるＤＣＬチャンネルの情報を取得し、それに基づいて、所定タイミングで疑似ビーコン信号を送信する。既に説明したように、子機５０のＤＣＬ通信制御回路５１は、省電力モードに移行すると、所定タイミングで疑似ビーコン信号を受信するよう動作する（図５、Ｓ３０３）。したがって、省電力モードにおいて親機１０のＤＣＬ通信制御回路３１がオフしている場合も、ＷＬＡＮ通信制御回路３３が送信する疑似ビーコン信号を子機５０のＤＣＬ通信制御回路５１が受信することで、親機１０と子機５０とは同期をとることができる。ここで、疑似ビーコン信号は特に情報を含まない、ただの電波であればよく、親機１０と子機５０とは同一の所定タイミングで疑似ビーコン信号の送受信を行うことで同期をとる。
【００４７】
Ｓ４０５において、ＷＬＡＮ通信制御回路３３は、ＣＰＵ１３から省電力モード復帰信号を受信したか否かを判断する。省電力モード復帰信号を受信していない場合（Ｓ４０５：ＮＯ）、ＷＬＡＮ通信制御回路３３は、Ｓ４０３に戻り、疑似ビーコン信号の送信を継続する。
【００４８】
省電力モード復帰信号を受信した場合（Ｓ４０５：ＹＥＳ）、ＷＬＡＮ通信制御回路３３は、Ｓ４０７において、動作設定テーブル（図３参照）に基づいて疑似ビーコン信号の送信を停止し、通常モードに移行する。そして、ＷＬＡＮ通信制御回路３３は、Ｓ４０９に進む。
【００４９】
一方、Ｓ４０１において、省電力モード移行信号を受信していない場合（Ｓ４０１：ＮＯ）、ＷＬＡＮ通信制御回路３３は、Ｓ４０３〜Ｓ４０７をスキップして、Ｓ４０９に進む。
【００５０】
Ｓ４０９において、ＷＬＡＮ通信制御回路３３は、一般的なＷＬＡＮの処理へ移る。ＷＬＡＮ通信制御回路３３は、一般的なＷＬＡＮの処理を起動するとＳ４０１に戻り、再び、省電力モード移行信号を受信したか否かを判断する。このように、ＷＬＡＮ通信制御回路３３は、省電力モード移行信号の受信の有無を確認しながら、一般的なＷＬＡＮの処理を行う。そして、ＷＬＡＮ通信制御回路３３は、省電力モード移行信号を受信すると、省電力モード復帰信号を受信するまで、所定タイミングでの疑似ビーコン信号の送信を継続する。
【００５１】
図７は、親機１０のＢＴ通信制御回路３５が実行する処理のフローチャートである。Ｓ５０１において、ＢＴ通信制御回路３５は、ＣＰＵ１３から省電力モード移行信号を受信したか否かを判断する。省電力モード移行信号を受信した場合（Ｓ５０１：ＹＥＳ）、ＢＴ通信制御回路３５は、Ｓ５０３において、ＣＰＵ１３の指示に従って省電力モードに移行し、動作設定テーブル（図３参照）に基づいた動作を実行する。具体的には、親機１０のＢＴ通信制御回路３５は、子機５０のＤＣＬ通信制御回路５１から送信される復帰コマンドを受信するよう動作する。
【００５２】
Ｓ５０５において、ＢＴ通信制御回路３５は、子機５０から復帰コマンドを受信したか否かを判断する。子機５０から復帰コマンドを受信していない場合（Ｓ５０５：ＮＯ）、ＢＴ通信制御回路３５は、Ｓ５０７において、ＣＰＵ１３から省電力モード復帰信号を受信したか否かを判断する。ＣＰＵ１３から省電力モード復帰信号を受信していない場合（Ｓ５０７：ＮＯ）、ＢＴ通信制御回路３５は、Ｓ５０３に戻る。このように、ＢＴ通信制御回路３５は、Ｓ５０３〜Ｓ５０７の間で、子機５０からの復帰コマンドの受信及びＣＰＵ１３からの省電力モード復帰信号の受信、それぞれの有無を確認しながら、子機５０のＤＣＬ通信制御回路５１から送信される復帰コマンドの受信動作を行う。
【００５３】
子機５０からの復帰コマンドを受信した場合（Ｓ５０５：ＹＥＳ）、ＢＴ通信制御回路３５は、Ｓ５０９において、本体制御部１１のＣＰＵ１３に対して省電力モードからの復帰要求を出力し、Ｓ５１１に進む。また、ＣＰＵ１３からの省電力モード復帰信号を受信した場合（Ｓ５０７：ＹＥＳ）、ＢＴ通信制御回路３５は、Ｓ５１１に進む。
【００５４】
Ｓ５１１において、ＢＴ通信制御回路３５は、通常モードに移行し、Ｓ５１３に進む。一方、Ｓ５０１において、省電力モード移行信号を受信していない場合（Ｓ５０１：ＮＯ）、ＢＴ通信制御回路３５は、Ｓ５０３〜Ｓ５１１をスキップして、Ｓ５１３に進む。
【００５５】
Ｓ５１３において、ＢＴ通信制御回路３５は、一般的なBluetoothの処理へ移る。ＢＴ通信制御回路３５は、一般的なBluetoothの処理を起動するとＳ５０１に戻り、再び、省電力モード移行信号を受信したか否かを判断する。このように、ＢＴ通信制御回路３５は、省電力モード移行信号の受信の有無を確認しながら、一般的なBluetoothの処理を行う。そして、ＢＴ通信制御回路３５は、省電力モード移行信号を受信すると、子機５０からの復帰コマンドの受信またはＣＰＵ１３からの省電力モード復帰信号の受信のいずれかがあるまで、子機５０のＤＣＬ通信制御回路５１から送信される復帰コマンドの受信動作を行う。既に説明したように、子機５０のＤＣＬ通信制御回路５１は、子機５０側において通話開始要求がある場合に、親機１０に対して復帰コマンドを送信する（図５、Ｓ３０５、Ｓ３０９）。したがって、ＤＣＬと同じ２．４ＧＨｚ帯の周波数帯域で、ＤＣＬと同様に周波数ホッピング方式を採用するＢＴ通信制御回路３５が、子機５０のＤＣＬ通信制御回路５１から送信される復帰コマンドの受信動作を行うことで、省電力モードにおいて親機１０のＤＣＬ通信制御回路３１がオフしている場合も、子機５０側における通話開始要求を受け付けて、省電力モードから復帰することができる。
【００５６】
図８は、ここまで説明した本実施例の無線通信装置において、親機１０が通常モードから省電力モードに移行し、省電力モードから通常モードへ復帰する際に、親機１０と子機５０との間でビーコン信号、疑似ビーコン信号が送受信される様子について、一例を示すタイミングチャートである。図８に示されるように、ビーコン信号、疑似ビーコン信号は、本体制御部１１の動作タイミングに合わせて、例えば、１０ｍｓ周期で送受信される。以下、順に説明する。
【００５７】
（１）タイミング１、２
親機１０は通常モードであり、親機１０のＤＣＬ通信制御回路３１はオンしている。親機１０のＤＣＬ通信制御回路３１から送信されるビーコン信号を、子機５０のＤＣＬ通信制御回路５１が受信することで、親機１０と子機５０とが同期をとる。
（２）タイミング３
省電力モードへの移行要求に基づいて、ＣＰＵ１３が省電力モード移行信号を送信する。
（３）タイミング４
ＣＰＵ１３からの省電力モード移行信号に基づいて、親機１０のＤＣＬ通信制御回路３１は、省電力モードへ移行する情報を含んだビーコン信号を送信し、子機５０に対して省電力モードへの移行を通知する。
（４）タイミング５
親機１０は省電力モードに移行し、親機１０のＤＣＬ通信制御回路３１はオフする。また、親機１０のＤＣＬ通信制御回路３１からの省電力モード移行通知に基づいて、子機５０のＤＣＬ通信制御回路５１は、受信対象をビーコン信号から疑似ビーコン信号へ切り替える。
（５）タイミング６、７、８
ＣＰＵ１３からの省電力モード移行信号に基づいて、親機１０のＷＬＡＮ通信制御回路３３は、疑似ビーコン信号を送信する。親機１０のＷＬＡＮ通信制御回路３３から送信される疑似ビーコン信号を、子機５０のＤＣＬ通信制御回路５１が受信することで、親機１０と子機５０とが同期をとる。
（６）タイミング９
省電力モードからの復帰要求に基づいて、ＣＰＵ１３が親機１０のＤＣＬ通信制御回路３１をオンにし、省電力モード復帰信号を送信する。
（７）タイミング１０
ＣＰＵ１３からの省電力モード復帰信号に基づいて、親機１０のＷＬＡＮ通信制御回路３３は、疑似ビーコン信号の送信を停止する。親機１０のＤＣＬ通信制御回路３１は、ビーコン信号を送信し、子機５０のＤＣＬ通信制御回路５１は、受信対象を疑似ビーコン信号からビーコン信号へ戻す。親機１０のＤＣＬ通信制御回路３１から送信されるビーコン信号を、子機５０のＤＣＬ通信制御回路５１が受信することで、親機１０と子機５０とが同期をとる。
（８）タイミング１１、１２、１３
親機１０は通常モードに復帰し、タイミング１、２と同様に、親機１０のＤＣＬ通信制御回路３１から送信されるビーコン信号を、子機５０のＤＣＬ通信制御回路５１が受信することで、親機１０と子機５０とが同期をとる。
【００５８】
このように、本実施例では、省電力モードにおいて親機１０のＤＣＬ通信制御回路３１をオフにしている間、ＷＬＡＮ通信制御回路３３が送信する疑似ビーコン信号によって、親機１０と子機５０とが同期をとることができる。これにより、親機１０のＤＣＬ通信制御回路３１と子機５０のＤＣＬ通信制御回路５１とがＤＣＬ通信を行う場合はすぐに通常モードに復帰してＤＣＬ通信が可能になる。
【００５９】
ここで、特許請求の範囲との対応は以下の通りである。
通常モードは第１の動作モードの一例、省電力モードは第２の動作モードの一例である。２．４ＧＨｚ帯は所定の周波数帯域の一例、ＤＣＬチャンネルは第１無線チャンネルの一例、ＷＬＡＮチャンネルは第２無線チャンネルの一例、ＢＴチャンネルは第３無線チャンネルの一例である。周波数ホッピング方式は第１、第３無線通信方式の一例、直接拡散方式は第２無線通信方式の一例である。ＤＣＬ通信制御回路３１は第１無線通信手段の一例、ＷＬＡＮ通信制御回路３３は第２無線通信手段の一例、ＢＴ通信制御回路３５は第３無線通信手段の一例である。親機１０は無線通信装置の一例、子機５０は他の装置の一例である。ビーコン信号は通常同期信号の一例、疑似ビーコン信号は疑似同期信号の一例である。Ｓ１０５、Ｓ１０９を実行するＣＰＵ１３は電源制御手段の一例である。Ｓ２０５を実行するＤＣＬ通信制御回路３１は通常同期手段の一例である。Ｓ４０３を実行するＷＬＡＮ通信制御回路３３は疑似同期手段の一例である。Ｓ２１５を実行するＤＣＬ通信制御回路３１は通知手段の一例である。Ｓ５０３を実行するＢＴ通信制御回路３５は復帰コマンド受信手段の一例である。
【００６０】
以上、詳細に説明した通り、本発明の前記実施例によれば、ＤＣＬ通信の待機時には省電力モードに移行して、親機１０のＤＣＬ通信制御回路３１への電源供給を遮断して消費電力を低減することができる。そして、ＤＣＬ通信の使用時にはすぐに通常モードに復帰して、使用を開始することができる。消費電力の低減と迅速な復帰との両立が可能である。
【００６１】
また、省電力モードにおいて親機１０のＤＣＬ通信制御回路３１がオフしている場合も、ＤＣＬと同じ２．４ＧＨｚ帯の周波数帯域で、ＤＣＬと同様に周波数ホッピング方式を採用するＢＴ通信制御回路３５によって子機５０側における通話開始要求を受け付けて、省電力モードから復帰することができる。
【００６２】
なお、本発明は前記実施例に限定されるものではなく、本発明の趣旨を逸脱しない範囲内での種々の改良、変更が可能であることは言うまでもない。
例えば、前記実施例における各フローチャートは単なる一例であり、当該各フローチャートの処理と同等の結果を得ることできるものであれば、他のフローチャートによって処理を実現してもよい。
【００６３】
図５に示した子機５０のＤＣＬ通信制御回路５１が実行する処理のＳ３０７で、子機５０のＤＣＬ通信制御回路５１は、例えば、所定タイミングで受信される疑似ビーコン信号が停止された場合に、親機１０側において省電力モードからの復帰があると判断する、とした。これ以外にも、例えば、親機１０のＤＣＬ通信制御回路３１が、電源供給された際に省電力モードから復帰する情報を含んだビーコン信号を送信し、子機５０のＤＣＬ通信制御回路５１はそれを受信することで、親機１０側において省電力モードからの復帰があると判断する、としてもよい。
【００６４】
また、図６に示した親機１０のＷＬＡＮ通信制御回路３３が実行する処理のＳ４０３で、省電力モードにおいて、ＷＬＡＮ通信制御回路３３は、所定タイミングで疑似ビーコン信号を送信する、とした。これ以外にも、例えば、所定タイミングでＷＬＡＮ通信制御回路３３がＡＰ６０との間でＷＬＡＮ通信を行い、その際に発生する電波を疑似ビーコン信号として利用してもよい。
【００６５】
また、図７に示した親機１０のＢＴ通信制御回路３５が実行する処理のＳ５０３で、省電力モードにおいて、ＢＴ通信制御回路３５は、子機５０のＤＣＬ通信制御回路５１から送信される復帰コマンドを受信するよう動作する、とした。これ以外にも、例えば、子機５０のＤＣＬ通信制御回路５１から送信される復帰コマンドを、ＷＬＡＮ通信制御回路３３で受信するように構成してもよい。
【符号の説明】
【００６６】
１０    親機
１１    本体制御部
１３    ＣＰＵ
３１    ＤＣＬ通信制御回路
３３    ＷＬＡＮ通信制御回路
３５    ＢＴ通信制御回路
５０    子機
６０    アクセスポイント（ＡＰ）
７０    ＰＣ
【図１】
2011055105.tif 000003
【図２】
2011055105.tif 000004
【図３】
2011055105.tif 000005
【図４】
2011055105.tif 000006
【図５】
2011055105.tif 000007
【図６】
2011055105.tif 000008
【図７】
2011055105.tif 000009
【図８】
2011055105.tif 000010